【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）で、第１の無線アクセス技術（ＲＡＴ）から第２のＲＡＴに、前記ＵＥでの第１の通信サービスの移転をトリガするモビリティイベントを検出すること、ここにおいて、前記ＵＥは、前記第１および第２のＲＡＴとの同時通信のために構成される、と、
前記ＵＥが、前記移転に関連する前記第１のＲＡＴの第２の基地局から前記第２のＲＡＴにおける通信のために構成されるセルの近隣リスト、または測定対象を受信することと、
前記ＵＥが、前記ＵＥが前記第１のＲＡＴの前記第２の基地局でアイドル状態にあるとき、第２の通信サービスのための前記第２のＲＡＴの第１の基地局に対する既存の接続を決定することと、
前記ＵＥが、前記第１の基地局の選択のための再選択基準の評価を修正すること、ここにおいて、前記修正された評価は、前記第１の基地局のキャッシュされた測定情報に少なくとも部分的に基づいて前記再選択基準を評価することを備える、と、
前記第１の基地局が前記セルの近隣リスト、または前記測定対象中に存在し、前記再選択基準が前記キャッシュされた測定情報によって満たされるとき、前記第１の通信サービスのための前記第１の基地局に再選択することと、
を備える、方法。
【請求項２】
前記キャッシュされた測定情報は、前記第１の基地局に関連する信号強度インジケータを含む、
請求項１に記載の方法。
【請求項３】
前記修正することは、前記第１の基地局が前記近隣リスト中に含まれると決定されたときに実行される、
請求項１に記載の方法。
【請求項４】
前記ＵＥが、前記第１の基地局が前記セルの近隣リスト中に含まれないとき、セル再選択を実行しないと決定することをさらに備える、
請求項１に記載の方法。
【請求項５】
ワイヤレス通信のために構成される装置であって、
ユーザ機器（ＵＥ）で、第１の無線アクセス技術（ＲＡＴ）から第２のＲＡＴに前記ＵＥでの第１の通信サービスの移転をトリガするモビリティイベントを検出するための手段、ここにおいて、前記ＵＥは、前記第１および第２のＲＡＴとの同時通信のために構成される、と、
前記ＵＥが、前記移転に関連する前記第１のＲＡＴの第２の基地局から前記第２のＲＡＴにおける通信のために構成されるセルの近隣リスト、または測定対象を受信するための手段と、
前記ＵＥが、前記ＵＥが前記第１のＲＡＴの前記第２の基地局でアイドル状態にあるとき、第２の通信サービスのための前記第２のＲＡＴの第１の基地局に対する既存の接続を決定するための手段と、
前記ＵＥが、前記第１の基地局の選択のための再選択基準の評価を修正するための手段、ここにおいて、前記修正するための手段は、前記第１の基地局のキャッシュされた測定情報に少なくとも部分的に基づいて前記再選択基準を評価するために前記評価を修正するように構成される、と、
前記第１の基地局が前記セルの近隣リスト、または前記測定対象中に存在し、前記再選択基準が前記キャッシュされた測定情報によって満たされるとき、前記第１の通信サービスのための前記第１の基地局に再選択するための手段と、
を備える、装置。
【請求項６】
前記キャッシュされた測定情報は、前記第１の基地局に関連する信号強度インジケータを含む、
請求項５に記載の装置。
【請求項７】
前記修正するための手段は、前記第１の基地局が前記近隣リスト中に含まれると決定されたとき再選択基準の評価を修正するように構成される、
請求項５に記載の装置。
【請求項８】
前記ＵＥが、前記第１の基地局が前記セルの近隣リスト中に含まれないとき、セル再選択を実行しないと決定するための手段をさらに備える、
請求項５に記載の装置。
【請求項９】
ワイヤレスネットワークにおけるワイヤレス通信のためのコンピュータプログラム製品であって、請求項１−４のうちのいずれか一項の方法を実行するためのプログラムコードを記憶したコンピュータ可読媒体を備える、
コンピュータプログラム製品。
【手続補正２】
【補正対象書類名】明細書
【補正対象項目名】００６８
【補正方法】変更
【補正の内容】
【００６８】
[0074]本開示の先の説明は、本開示を製造または使用することをいずれの当業者にも可能にさせるために提供される。これらの開示に対する様々な変更は当業者には容易に明らかであり、本明細書において定義された包括的な原理は、本開示の精神または範囲を逸脱することなく他の変形に適用されうる。したがって、本開示は、本明細書において説明された例および設計に限定されることは意図せず、本明細書に開示された原理および新規な特徴と一致する最も広い範囲が付与されるべきである。
以下に本願の出願当初の特許請求の範囲に記載された発明を付記する。
［Ｃ１］
ワイヤレス通信の方法であって、
ユーザ機器（ＵＥ）で、第１の無線アクセス技術（ＲＡＴ）から第２のＲＡＴに、前記ＵＥでの第１の通信サービスの移転をトリガするモビリティイベントを検出すること、ここにおいて、前記ＵＥは、前記第１および第２のＲＡＴと同時通信するために構成される、と、
前記ＵＥが、前記移転に関連する前記第１のＲＡＴの第２の基地局からモビリティ移転情報を受信すること、ここにおいて、前記モビリティ移転情報は、複数の近隣する第２のＲＡＴ基地局の測定値のための情報を含む、と、
前記ＵＥが、前記ＵＥが前記第１のＲＡＴの前記第２の基地局でアイドル状態にあるとき、第２の通信サービスのための前記第２のＲＡＴへの第１の基地局に対する既存の接続を決定することと、
前記ＵＥが、前記第１の基地局の選択のための再選択基準の評価を修正することと
を備え、前記修正することは、前記第１の基地局のキャッシュされた測定情報に少なくとも部分的に基づいて前記再選択基準を評価することを備える、
方法。
［Ｃ２］
前記モビリティ移転情報は、前記第２のＲＡＴにおける通信のために構成されるセルの近隣リストを備える、
Ｃ１に記載の方法。
［Ｃ３］
前記キャッシュされた測定情報は、前記第１の基地局に関連する信号強度インジケータを含む、
Ｃ２に記載の方法。
［Ｃ４］
前記修正することは、前記第１の基地局が前記近隣リスト中に含まれると決定されたときに実行される、
Ｃ２に記載の方法。
［Ｃ５］
前記第１の基地局が前記セルの近隣リスト中に存在し、前記再選択基準が前記キャッシュされた測定情報によって満たされるとき、前記第１の通信サービスのための前記第１の基地局に再選択すること、
前記ＵＥが、前記第１の基地局が前記セルの近隣リスト中に含まれないとき、セル再選択を実行しないと決定すること
のうちの１つをさらに備える、Ｃ２に記載の方法。
［Ｃ６］
ワイヤレス通信のために構成される装置であって、
ユーザ機器（ＵＥ）で、第１の無線アクセス技術（ＲＡＴ）から第２のＲＡＴに前記ＵＥでの第１の通信サービスの移転をトリガするモビリティイベントを検出するための手段、ここにおいて、前記ＵＥは、前記第１および第２のＲＡＴと同時通信するために構成される、と、
前記ＵＥが、前記移転に関連する前記第１のＲＡＴの第２の基地局からモビリティ移転情報を受信するための手段、ここにおいて、前記モビリティ移転情報は、複数の近隣する第２のＲＡＴ基地局の測定値のための情報を含む、と、
前記ＵＥが、前記ＵＥが前記第１のＲＡＴの前記第２の基地局でアイドル状態にあるとき、第２の通信サービスのための前記第２のＲＡＴへの第１の基地局に対する既存の接続を決定するための手段と、
前記ＵＥが、前記第１の基地局の選択のための再選択基準の評価を修正するための手段と
を備え、前記修正するための手段は、前記第１の基地局のキャッシュされた測定情報に少なくとも部分的に基づいて前記再選択基準を評価するための手段を備える、
装置。
［Ｃ７］
前記モビリティ移転情報は、前記第２のＲＡＴにおける通信のために構成されるセルの近隣リストを備える、
Ｃ６に記載の装置。
［Ｃ８］
前記キャッシュされた測定情報は、前記第１の基地局に関連する信号強度インジケータを含む、
Ｃ７に記載の装置。
［Ｃ９］
前記修正するための手段は、前記第１の基地局が前記近隣リスト中に含まれると決定されたときに実行される、
Ｃ７に記載の装置。
［Ｃ１０］
前記第１の基地局が前記セルの近隣リスト中に存在し、前記再選択基準が前記キャッシュされた測定情報によって満たされるとき、前記第１の通信サービスのための前記第１の基地局に再選択するための手段、
前記ＵＥが、前記第１の基地局が前記セルの近隣リスト中に含まれないとき、セル再選択を実行しないと決定するための手段
のうちの１つをさらに備える、Ｃ７に記載の装置。
［Ｃ１１］
ワイヤレスネットワークにおけるワイヤレス通信のためのコンピュータプログラム製品であって、
その上に記憶されたプログラムコードを有する非一時的コンピュータ可読媒体を備え、前記プログラムコードは、
コンピュータに、ユーザ機器（ＵＥ）で、第１の無線アクセス技術（ＲＡＴ）から第２のＲＡＴに前記ＵＥでの第１の通信サービスの移転をトリガするモビリティイベントを検出させるためのプログラムコード、ここにおいて、前記ＵＥは、前記第１および第２のＲＡＴと同時通信するために構成される、と、
前記コンピュータに、前記ＵＥが、前記移転に関連する前記第１のＲＡＴの第２の基地局からモビリティ移転情報を受信させるためのプログラムコード、ここにおいて、前記モビリティ移転情報は、複数の近隣する第２のＲＡＴ基地局の測定値のための情報を含む、と、
前記コンピュータに、前記ＵＥが、前記ＵＥが前記第１のＲＡＴの前記第２の基地局でアイドル状態にあるとき、第２の通信サービスのための前記第２のＲＡＴへの第１の基地局に対する既存の接続を決定させるためのプログラムコードと、
前記コンピュータに、前記ＵＥが、前記第１の基地局の選択のための再選択基準の評価を修正させるためのコードと
を備え、前記コンピュータに修正させるための前記プログラムコードは、前記コンピュータに、前記第１の基地局のキャッシュされた測定情報に少なくとも部分的に基づいて前記再選択基準を評価させるためのプログラムコードを備える、
コンピュータプログラム製品。
［Ｃ１２］
前記モビリティ移転情報は、前記第２のＲＡＴにおける通信のために構成されるセルの近隣リストを備える、
Ｃ１１に記載のコンピュータプログラム製品。
［Ｃ１３］
前記キャッシュされた測定情報は、前記第１の基地局に関連する信号強度インジケータを含む、
Ｃ１２に記載のコンピュータプログラム製品。
［Ｃ１４］
前記コンピュータに修正させるための前記プログラムコードは、前記コンピュータに、前記第１の基地局が前記近隣リスト中に含まれると決定されたときに実行させる、
Ｃ１２に記載のコンピュータプログラム製品。
［Ｃ１５］
前記コンピュータに、前記第１の基地局が前記セルの近隣リスト中に存在し、前記再選択基準が前記キャッシュされた測定情報によって満たされるとき、前記第１の通信サービスのための前記第１の基地局に再選択させるためのプログラムコード、
前記コンピュータに、前記ＵＥが、前記第１の基地局が前記セルの近隣リスト中に含まれないとき、セル再選択を実行しないと決定させるためのプログラムコード
のうちの１つをさらに備える、Ｃ１２に記載のコンピュータプログラム製品。
［Ｃ１６］
ワイヤレス通信のために構成される装置であって、
少なくとも１つのプロセッサと、
前記少なくとも１つのプロセッサに結合されるメモリと
を備え、前記少なくとも１つのプロセッサは、
ユーザ機器（ＵＥ）で、第１の無線アクセス技術（ＲＡＴ）から第２のＲＡＴに前記ＵＥでの第１の通信サービスの移転をトリガするモビリティイベントを検出すること、ここにおいて、前記ＵＥは、前記第１および第２のＲＡＴと同時通信するために構成される、と、
前記ＵＥが、前記移転に関連する前記第１のＲＡＴの第２の基地局からモビリティ移転情報を受信すること、ここにおいて、前記モビリティ移転情報は、複数の近隣する第２のＲＡＴ基地局の測定値のための情報を含む、と、
前記ＵＥが、前記ＵＥが前記第１のＲＡＴの前記第２の基地局でアイドル状態にあるとき、第２の通信サービスのための前記第２のＲＡＴへの第１の基地局に対する既存の接続を決定することと、
前記ＵＥが、前記第１の基地局の選択のための再選択基準の評価を修正することと
を行うように構成され、前記修正することを行う前記少なくとも１つのプロセッサの構成は、前記第１の基地局のキャッシュされた測定情報に少なくとも部分的に基づいて前記再選択基準を評価することを行う構成を備える、
装置。
［Ｃ１７］
前記モビリティ移転情報は、前記第２のＲＡＴにおける通信のために構成されるセルの近隣リストを備える、
Ｃ１６に記載の装置。
［Ｃ１８］
前記キャッシュされた測定情報は、前記第１の基地局に関連する信号強度インジケータを含む、
Ｃ１７に記載の装置。
［Ｃ１９］
修正する前記少なくとも１つのプロセッサの前記構成は、前記第１の基地局が前記近隣リスト中に含まれると決定されたときに実行される、
Ｃ１７に記載の装置。
［Ｃ２０］
前記第１の基地局が前記セルの近隣リスト中に存在し、前記再選択基準が前記キャッシュされた測定情報によって満たされるとき、第１の通信サービスのための第１の基地局に再選択する前記少なくとも１つのプロセッサの構成、
前記ＵＥが、前記第１の基地局が前記セルの近隣リスト中に含まれないとき、セル再選択を実行しないと決定する前記少なくとも１つのプロセッサの構成
のうちの１つをさらに備える、Ｃ１７に記載の装置。